(57)【要約】【課題】  送信側の端末が受信側の端末に提供する音データを作成する際の自由度を高めることができる音データ提供システム、その方法、交換装置およびプログラムを提供する。【解決手段】  送信側端末１０は、音声やデジタルサウンド等の音データに関する情報、受信側端末特定情報および指定日時情報をユーザインタフェース部３０に送り、ユーザインタフェース部３０は、音データ等を交換装置４０が扱えるよう変換して交換装置４０に送り、交換装置４０は、受信側端末２０に指定日時に音データを提供する。【選択図】  図１
2006166013.tif 000002
【特許請求の範囲】
【請求項１】
音データの送信側端末と、交換装置と、該音データの受信側端末と、が接続されている音データ提供システムであって、
前記送信側端末は、音データの入力を行なう音データ入力手段と、
前記音データ入力手段により入力された音データについての種々の情報を前記交換装置に送信する各種情報送信手段と、
前記入力された音データを提供する対象の受信側端末を特定する情報を前記交換装置に送信する提供先情報送信手段と、
前記入力された音データを前記受信側端末に届ける日時を指定する情報を前記交換装置に送信する指定日時情報送信手段と、を備え、
前記交換装置は、前記送信側端末から受け取った前記音データについての種々の情報に基づいて音データを合成する音データ合成手段と、
前記受信側端末に前記音データ合成手段により作成した前記音データを指定日時に提供する音データ提供手段と、を備え、
前記受信側端末は、前記交換装置から前記音データを受け取る音データ取得手段と、
前記音データ取得手段により受け取った前記音データを出力する音データ出力手段と、
を備えることを特徴とする音データ提供システム。
【請求項２】
音データの送信側端末と、ユーザインタフェースと、交換装置と、該音データの受信側端末と、が接続されている音データ提供システムであって、
前記送信側端末は、音データの入力を行なう音データ入力手段と、
前記音データ入力手段により入力された音データについての種々の情報を前記ユーザインタフェースに送信する手段と、
前記入力された音データを提供する対象の受信側端末を特定する情報を前記ユーザインタフェースに送信する提供先情報送信手段と、
前記入力された音データを前記受信側端末に届ける日時を指定する情報を前記ユーザインタフェースに送信する指定日時情報送信手段と、を備え、
前記ユーザインタフェースは、前記送信側端末から取得した各種情報、提供先情報および指定日時情報に基づいて、前記交換装置で扱うことが可能な関連情報を生成する関連情報生成手段と、
前記関連情報生成手段により生成された前記関連情報を前記交換装置に送信する関連情報送信手段と、を備え、
前記交換装置は、前記ユーザインタフェースから受け取った関連情報のうち、前記音データについての種々の情報に基づいて音データを合成する音データ合成手段と、
前記ユーザインタフェースから受け取った関連情報のうち、前記受信側端末を特定する情報に基づいて前記音データを提供する相手端末を特定する提供先特定手段と、
前記ユーザインタフェースから受け取った関連情報のうち、前記日時を指定する情報に基づいて前記音データを提供する日時指定手段と、
前記受信側端末に前記音データ合成手段により作成した前記音データを指定日時に提供する音データ提供手段と、を備え、
前記受信側端末は、前記交換装置から前記音データを受け取る音データ取得手段と、
前記音データ取得手段により受け取った前記音データを出力する音データ出力手段と、
を備えることを特徴とする音データ提供システム。
【請求項３】
前記交換装置は、前記受信側端末に音データの受取りを許可するか否かを問い合わせ、前記受信側端末からの許可するか否かの情報に基づいて、音データを提供するかどうかを判定する受取許可判定手段をさらに備え、
前記受信側端末は、音データの受取りを許可するか否かの情報を前記交換装置に送信する受取許可情報送信手段をさらに備えることを特徴とする請求項１または２記載の音データ提供システム。
【請求項４】
前記交換装置および／または前記受信側端末は、前記受信側端末で予め設定されている音データの受取りを拒否する相手先端末の識別情報に基づいて、音データを提供するべきでないか否かを判定する着信拒否判定手段をさらに備えることを特徴とする請求項１から３のいずれか１項に記載の音データ提供システム。
【請求項５】
前記交換装置は、前記受信側端末に提供した音データについてのデータ量や通信回線への接続時間等に基づいて、前記送信側端末に対して課金する料金の算定をし、課金処理を行なう課金手段をさらに備えることを特徴とする請求項１から４のいずれか１項に記載の音データ提供システム。
【請求項６】
音データの送信側端末と、交換装置と、該音データの受信側端末と、を利用した音データ提供方法であって、
前記送信側端末が、音データ入力手段によって音データの入力を行なうステップと、
各種情報送信手段によって前記音データの入力を行なうステップで入力された音データについての種々の情報を前記交換装置に送信するステップと、
提供先情報送信手段によって前記入力された音データを提供する対象の受信側端末を特定する情報を前記交換装置に送信するステップと、
指定日時情報送信手段によって前記入力された音データを前記受信側端末に届ける日時を指定する情報を前記交換装置に送信するステップと、を有し、
前記交換装置が、音データ合成手段によって前記送信側端末から受け取った前記音データについての種々の情報に基づいて音データを合成するステップと、
音データ提供手段によって前記受信側端末に前記音データを合成するステップで作成した前記音データを指定日時に提供するステップと、を有し、
前記受信側端末が、音データ取得手段によって前記交換装置から前記音データを受け取るステップと、
音データ出力手段によって前記音データを受け取るステップで受け取った前記音データを出力するステップと、
を有することを特徴とする音データ提供方法。
【請求項７】
音データの送信側端末と、ユーザインタフェースと、交換装置と、該音データの受信側端末と、を利用した音データ提供方法であって、
前記送信側端末が、音データ入力手段によって音データの入力を行なうステップと、
各種情報送信手段によって前記音データの入力を行なうステップで入力された音データについての種々の情報を前記ユーザインタフェースに送信するステップと、
提供先情報送信手段によって前記入力された音データを提供する対象の受信側端末を特定する情報を前記ユーザインタフェースに送信するステップと、
指定日時情報送信手段によって前記入力された音データを前記受信側端末に届ける日時を指定する情報を前記ユーザインタフェースに送信するステップと、を有し、
前記ユーザインタフェースが、関連情報生成手段によって前記送信側端末から取得した各種情報、提供先情報および指定日時情報に基づいて、前記交換装置で扱うことが可能な関連情報を生成するステップと、
関連情報送信手段によって前記関連情報を生成するステップで生成された前記関連情報を前記交換装置に送信するステップと、を有し、
前記交換装置が、音データ合成手段によって前記ユーザインタフェースから受け取った関連情報のうち、前記音データについての種々の情報に基づいて音データを合成するステップと、
提供先特定手段によって前記ユーザインタフェースから受け取った関連情報のうち、前記受信側端末を特定する情報に基づいて前記音データを提供する相手端末を特定するステップと、
日時指定手段によって前記ユーザインタフェースから受け取った関連情報のうち、前記日時を指定する情報に基づいて前記音データを提供するステップと、
音データ提供手段によって前記受信側端末に前記音データを合成するステップで作成した前記音データを指定日時に提供するステップと、を有し、
前記受信側端末が、音データ取得手段によって前記交換装置から前記音データを受け取るステップと、
音データ出力手段によって前記音データを受け取るステップで受け取った前記音データを出力するステップと、
を有することを特徴とする音データ提供方法。
【請求項８】
前記交換装置が、受取許可判定手段によって前記受信側端末に音データの受取りを許可するか否かを問い合わせ、
前記受信側端末が、受取許可情報送信手段によって音データの受取りを許可するか否かの情報を前記交換装置に送信し、
前記交換装置が、前記受信側端末からの許可するか否かの情報に基づいて、音データを提供するかどうかを判定するステップをさらに有することを特徴とする請求項６または７記載の音データ提供方法。
【請求項９】
前記交換装置および／または前記受信側端末が、着信拒否判定手段によって前記受信側端末で予め設定されている音データの受取りを拒否する相手先端末の識別情報に基づいて、音データを提供するべきでないか否かを判定するステップをさらに有することを特徴とする請求項６から８のいずれか１項に記載の音データ提供方法。
【請求項１０】
前記交換装置が、課金手段によって前記受信側端末に提供した音データについてのデータ量や通信回線への接続時間等に基づいて、前記送信側端末に対して課金する料金の算定をし、課金処理を行なうステップをさらに有することを特徴とする請求項６から９のいずれか１項に記載の音データ提供方法。
【請求項１１】
受け取った音データについての種々の情報に基づいて音データを合成する音データ合成手段と、
提供する対象を特定する情報に基づいて前記音データ合成手段により作成した前記音データを日時を指定する情報に基づいて指定日時に提供する音データ提供手段と、
を備えることを特徴とする交換装置。
【請求項１２】
前記提供する対象に音データの受取りを許可するか否かを問い合わせ、許可するか否かの情報に基づいて、音データを提供するかどうかを判定する受取許可判定手段をさらに備えることを特徴とする請求項１１記載の交換装置。
【請求項１３】
前記提供する対象で予め設定されている音データの受取りを拒否する相手先の識別情報に基づいて、音データを提供するべきでないか否かを判定する着信拒否判定手段をさらに備えることを特徴とする請求項１１または１２記載の交換装置。
【請求項１４】
前記提供する対象に提供した音データについてのデータ量や通信回線への接続時間等に基づいて、課金する料金の算定をし、課金処理を行なう課金手段をさらに備えることを特徴とする請求項１１から１３のいずれか１項に記載の交換装置。
【請求項１５】
送信側端末に、音データ入力手段によって音データの入力を行なうステップと、
各種情報送信手段によって前記音データの入力を行なうステップで入力された音データについての種々の情報を交換装置に送信するステップと、
提供先情報送信手段によって前記入力された音データを提供する対象の受信側端末を特定する情報を前記交換装置に送信するステップと、
指定日時情報送信手段によって前記入力された音データを前記受信側端末に届ける日時を指定する情報を前記交換装置に送信するステップと、を実行させ、
前記交換装置に、音データ合成手段によって前記送信側端末から受け取った前記音データについての種々の情報に基づいて音データを合成するステップと、
音データ提供手段によって前記受信側端末に前記音データを合成するステップで作成した前記音データを指定日時に提供するステップと、を実行させ、
前記受信側端末に、音データ取得手段によって前記交換装置から前記音データを受け取るステップと、
音データ出力手段によって前記音データを受け取るステップで受け取った前記音データを出力するステップと、
を実行させることを特徴とするプログラム。
【請求項１６】
送信側端末に、音データ入力手段によって音データの入力を行なうステップと、
各種情報送信手段によって前記音データの入力を行なうステップで入力された音データについての種々の情報を前記ユーザインタフェースに送信するステップと、
提供先情報送信手段によって前記入力された音データを提供する対象の受信側端末を特定する情報を前記ユーザインタフェースに送信するステップと、
指定日時情報送信手段によって前記入力された音データを前記受信側端末に届ける日時を指定する情報を前記ユーザインタフェースに送信するステップと、を実行させ、
前記ユーザインタフェースに、関連情報生成手段によって前記送信側端末から取得した各種情報、提供先情報および指定日時情報に基づいて、前記交換装置で扱うことが可能な関連情報を生成するステップと、
関連情報送信手段によって前記関連情報を生成するステップで生成された前記関連情報を前記交換装置に送信するステップと、を実行させ、
前記交換装置に、音データ合成手段によって前記ユーザインタフェースから受け取った関連情報のうち、前記音データについての種々の情報に基づいて音データを合成するステップと、
提供先特定手段によって前記ユーザインタフェースから受け取った関連情報のうち、前記受信側端末を特定する情報に基づいて前記音データを提供する相手端末を特定するステップと、
日時指定手段によって前記ユーザインタフェースから受け取った関連情報のうち、前記日時を指定する情報に基づいて前記音データを提供するステップと、
音データ提供手段によって前記受信側端末に前記音データを合成するステップで作成した前記音データを指定日時に提供するステップと、を実行させ、
前記受信側端末に、音データ取得手段によって前記交換装置から前記音データを受け取るステップと、
音データ出力手段によって前記音データを受け取るステップで受け取った前記音データを出力するステップと、
を実行させることを特徴とするプログラム。
【請求項１７】
前記交換装置に、受取許可判定手段によって前記受信側端末に音データの受取りを許可するか否かを問い合わさせ、
前記受信側端末し、受取許可情報送信手段によって音データの受取りを許可するか否かの情報を前記交換装置に送信させ、
前記交換装置に、前記受信側端末からの許可するか否かの情報に基づいて、音データを提供するかどうかを判定するステップをさらに実行させることを特徴とする請求項１５または１６記載のプログラム。
【請求項１８】
前記交換装置および／または前記受信側端末に、着信拒否判定手段によって前記受信側端末で予め設定されている音データの受取りを拒否する相手先端末の識別情報に基づいて、音データを提供するべきでないか否かを判定するステップをさらに実行させることを特徴とする請求項１５から１７のいずれか１項に記載のプログラム。
【請求項１９】
前記交換装置に、課金手段によって前記受信側端末に提供した音データについてのデータ量や通信回線への接続時間等に基づいて、前記送信側端末に対して課金する料金の算定をし、課金処理を行なうステップをさらに実行させることを特徴とする請求項１５から１８のいずれか１項に記載のプログラム。
【発明の詳細な説明】
【技術分野】
【０００１】
本発明は、音声のみならず種々の音データを相手に伝達することができる音データ提供システム、その方法、交換装置およびプログラムに関する。
【背景技術】
【０００２】
従来、留守番電話サービスにおいては、通信網を介した、送信側の端末からの発呼に対して、受信側の端末が応答拒否状態等であった場合に、伝言メッセージ受付けのガイダンスが流れ、必要があれば、伝言メッセージを録音する。その後、受信側の端末は、応答を拒否する状況でなくなったときに、交換装置に対して伝言メッセージの問合せを行ない、伝言メッセージを受け取っていた。
【０００３】
そして、伝言メッセージは、ユーザが、送信側の端末の送話口から、受信側の端末に伝えたいメッセージを発声すること等によって交換装置に登録することで行なわれていた。
【０００４】
ここで、音声配信サービスの登録者が公衆網に接続された端末から、音声配信装置に音声情報ファイルを蓄積し、音声配信サービス会員は、利用者端末から、配信する音声のコードと配信先電話番号や配信日時を入力し、送信することにより、音声配信装置が指定された日時に、指定された電話番号を有する送出先端末に指定された音声を自動的に配信することができる技術が提案されている（例えば、特許文献１参照）。
【特許文献１】特開２００１−１１９４８６号公報
【発明の開示】
【発明が解決しようとする課題】
【０００５】
しかしながら、上述した従来例においては、送信側の端末の送話口からのみしか伝言メッセージの登録ができないため、例えば、ＢＧＭとして音楽が流れているメッセージを登録しようとする場合には、送話口から交換装置に伝言メッセージを登録する間に、ＢＧＭである音楽の音が劣化してしまいクリアな音にならない等の伝言メッセージ作成の自由度が制限されるという問題点があった。
【０００６】
本発明は、上記の問題点に鑑みてなされたものであり、送信側の端末が受信側の端末に提供する音データを作成する際の自由度を高めることができる音データ提供システム、その方法、交換装置およびプログラムを提供することを目的とする。
【課題を解決するための手段】
【０００７】
請求項１記載の発明は、音データの送信側端末と、交換装置と、該音データの受信側端末と、が接続されている音データ提供システムであって、送信側端末は、音データの入力を行なう音データ入力手段と、音データ入力手段により入力された音データについての種々の情報を交換装置に送信する各種情報送信手段と、入力された音データを提供する対象の受信側端末を特定する情報を交換装置に送信する提供先情報送信手段と、入力された音データを受信側端末に届ける日時を指定する情報を交換装置に送信する指定日時情報送信手段とを備え、交換装置は、送信側端末から受け取った音データについての種々の情報に基づいて音データを合成する音データ合成手段と、受信側端末に音データ合成手段により作成した音データを指定日時に提供する音データ提供手段とを備え、受信側端末は、交換装置から音データを受け取る音データ取得手段と、音データ取得手段により受け取った音データを出力する音データ出力手段とを備えることを特徴とする音データ提供システムである。
【０００８】
請求項２記載の発明は、音データの送信側端末と、ユーザインタフェースと、交換装置と、該音データの受信側端末と、が接続されている音データ提供システムであって、送信側端末は、音データの入力を行なう音データ入力手段と、音データ入力手段により入力された音データについての種々の情報をユーザインタフェースに送信する手段と、入力された音データを提供する対象の受信側端末を特定する情報をユーザインタフェースに送信する提供先情報送信手段と、入力された音データを受信側端末に届ける日時を指定する情報をユーザインタフェースに送信する指定日時情報送信手段とを備え、ユーザインタフェースは、送信側端末から取得した各種情報、提供先情報および指定日時情報に基づいて、交換装置で扱うことが可能な関連情報を生成する関連情報生成手段と、関連情報生成手段により生成された関連情報を交換装置に送信する関連情報送信手段とを備え、交換装置は、ユーザインタフェースから受け取った関連情報のうち、音データについての種々の情報に基づいて音データを合成する音データ合成手段と、ユーザインタフェースから受け取った関連情報のうち、受信側端末を特定する情報に基づいて音データを提供する相手端末を特定する提供先特定手段と、ユーザインタフェースから受け取った関連情報のうち、日時を指定する情報に基づいて音データを提供する日時指定手段と、受信側端末に音データ合成手段により作成した音データを指定日時に提供する音データ提供手段とを備え、受信側端末は、交換装置から音データを受け取る音データ取得手段と、音データ取得手段により受け取った音データを出力する音データ出力手段とを備えることを特徴とする音データ提供システムである。
【０００９】
請求項３記載の発明は、請求項１または２記載の音データ提供システムにおいて、交換装置は、受信側端末に音データの受取りを許可するか否かを問い合わせ、受信側端末からの許可するか否かの情報に基づいて、音データを提供するかどうかを判定する受取許可判定手段をさらに備え、受信側端末は、音データの受取りを許可するか否かの情報を交換装置に送信する受取許可情報送信手段をさらに備える。
【００１０】
請求項４記載の発明は、請求項１から３のいずれか１項に記載の音データ提供システムにおいて、交換装置および／または受信側端末は、受信側端末で予め設定されている音データの受取りを拒否する相手先端末の識別情報に基づいて、音データを提供するべきでないか否かを判定する着信拒否判定手段をさらに備える。
【００１１】
請求項５記載の発明は、請求項１から４のいずれか１項に記載の音データ提供システムおいて、交換装置は、受信側端末に提供した音データについてのデータ量や通信回線への接続時間等に基づいて、送信側端末に対して課金する料金の算定をし、課金処理を行なう課金手段をさらに備える。
【００１２】
請求項６記載の発明は、音データの送信側端末と、交換装置と、該音データの受信側端末と、を利用した音データ提供方法であって、送信側端末が、音データ入力手段によって音データの入力を行なうステップと、各種情報送信手段によって音データの入力を行なうステップで入力された音データについての種々の情報を交換装置に送信するステップと、提供先情報送信手段によって入力された音データを提供する対象の受信側端末を特定する情報を交換装置に送信するステップと、指定日時情報送信手段によって入力された音データを受信側端末に届ける日時を指定する情報を交換装置に送信するステップとを有し、交換装置が、音データ合成手段によって送信側端末から受け取った音データについての種々の情報に基づいて音データを合成するステップと、音データ提供手段によって受信側端末に音データを合成するステップで作成した音データを指定日時に提供するステップとを有し、受信側端末が、音データ取得手段によって交換装置から音データを受け取るステップと、音データ出力手段によって音データを受け取るステップで受け取った音データを出力するステップとを有することを特徴とする音データ提供方法である。
【００１３】
請求項７記載の発明は、音データの送信側端末と、ユーザインタフェースと、交換装置と、該音データの受信側端末と、を利用した音データ提供方法であって、送信側端末が、音データ入力手段によって音データの入力を行なうステップと、各種情報送信手段によって音データの入力を行なうステップで入力された音データについての種々の情報をユーザインタフェースに送信するステップと、提供先情報送信手段によって入力された音データを提供する対象の受信側端末を特定する情報をユーザインタフェースに送信するステップと、指定日時情報送信手段によって入力された音データを受信側端末に届ける日時を指定する情報をユーザインタフェースに送信するステップとを有し、ユーザインタフェースが、関連情報生成手段によって送信側端末から取得した各種情報、提供先情報および指定日時情報に基づいて、交換装置で扱うことが可能な関連情報を生成するステップと、関連情報送信手段によって関連情報を生成するステップで生成された関連情報を交換装置に送信するステップとを有し、交換装置が、音データ合成手段によってユーザインタフェースから受け取った関連情報のうち、音データについての種々の情報に基づいて音データを合成するステップと、提供先特定手段によってユーザインタフェースから受け取った関連情報のうち、受信側端末を特定する情報に基づいて音データを提供する相手端末を特定するステップと、日時指定手段によってユーザインタフェースから受け取った関連情報のうち、日時を指定する情報に基づいて音データを提供するステップと、音データ提供手段によって受信側端末に音データを合成するステップで作成した音データを指定日時に提供するステップとを有し、受信側端末が、音データ取得手段によって交換装置から音データを受け取るステップと、音データ出力手段によって音データを受け取るステップで受け取った音データを出力するステップとを有することを特徴とする音データ提供方法である。
【００１４】
請求項８記載の発明は、請求項６または７記載の音データ提供方法において、交換装置が、受取許可判定手段によって受信側端末に音データの受取りを許可するか否かを問い合わせ、受信側端末が、受取許可情報送信手段によって音データの受取りを許可するか否かの情報を交換装置に送信し、交換装置が、受信側端末からの許可するか否かの情報に基づいて、音データを提供するかどうかを判定するステップをさらに有する。
【００１５】
請求項９記載の発明は、請求項６から８のいずれか１項に記載の音データ提供方法において、交換装置および／または受信側端末が、着信拒否判定手段によって受信側端末で予め設定されている音データの受取りを拒否する相手先端末の識別情報に基づいて、音データを提供するべきでないか否かを判定するステップをさらに有する。
【００１６】
請求項１０記載の発明は、請求項６から９のいずれか１項に記載の音データ提供方法において、交換装置が、課金手段によって受信側端末に提供した音データについてのデータ量や通信回線への接続時間等に基づいて、送信側端末に対して課金する料金の算定をし、課金処理を行なうステップをさらに有する。
【００１７】
請求項１１記載の発明は、受け取った音データについての種々の情報に基づいて音データを合成する音データ合成手段と、提供する対象を特定する情報に基づいて音データ合成手段により作成した音データを日時を指定する情報に基づいて指定日時に提供する音データ提供手段とを備えることを特徴とする交換装置である。
【００１８】
請求項１２記載の発明は、請求項１１記載の交換装置において、提供する対象に音データの受取りを許可するか否かを問い合わせ、許可するか否かの情報に基づいて、音データを提供するかどうかを判定する受取許可判定手段をさらに備える。
【００１９】
請求項１３記載の発明は、請求項１１または１２記載の交換装置において、提供する対象で予め設定されている音データの受取りを拒否する相手先の識別情報に基づいて、音データを提供するべきでないか否かを判定する着信拒否判定手段をさらに備える。
【００２０】
請求項１４記載の発明は、請求項１１から１３のいずれか１項に記載の交換装置において、提供する対象に提供した音データについてのデータ量や通信回線への接続時間等に基づいて、課金する料金の算定をし、課金処理を行なう課金手段をさらに備える。
【００２１】
請求項１５記載の発明は、送信側端末に、音データ入力手段によって音データの入力を行なうステップと、各種情報送信手段によって音データの入力を行なうステップで入力された音データについての種々の情報を交換装置に送信するステップと、提供先情報送信手段によって入力された音データを提供する対象の受信側端末を特定する情報を交換装置に送信するステップと、指定日時情報送信手段によって入力された音データを受信側端末に届ける日時を指定する情報を交換装置に送信するステップとを実行させ、交換装置に、音データ合成手段によって送信側端末から受け取った音データについての種々の情報に基づいて音データを合成するステップと、音データ提供手段によって受信側端末に音データを合成するステップで作成した音データを指定日時に提供するステップと、を実行させ、受信側端末に、音データ取得手段によって交換装置から音データを受け取るステップと、音データ出力手段によって音データを受け取るステップで受け取った音データを出力するステップとを実行させることを特徴とするプログラムである。
【００２２】
請求項１６記載の発明は、送信側端末に、音データ入力手段によって音データの入力を行なうステップと、各種情報送信手段によって音データの入力を行なうステップで入力された音データについての種々の情報をユーザインタフェースに送信するステップと、提供先情報送信手段によって入力された音データを提供する対象の受信側端末を特定する情報をユーザインタフェースに送信するステップと、指定日時情報送信手段によって入力された音データを受信側端末に届ける日時を指定する情報をユーザインタフェースに送信するステップとを実行させ、ユーザインタフェースに、関連情報生成手段によって送信側端末から取得した各種情報、提供先情報および指定日時情報に基づいて、交換装置で扱うことが可能な関連情報を生成するステップと、関連情報送信手段によって関連情報を生成するステップで生成された関連情報を交換装置に送信するステップとを実行させ、交換装置に、音データ合成手段によってユーザインタフェースから受け取った関連情報のうち、音データについての種々の情報に基づいて音データを合成するステップと、提供先特定手段によってユーザインタフェースから受け取った関連情報のうち、受信側端末を特定する情報に基づいて音データを提供する相手端末を特定するステップと、日時指定手段によってユーザインタフェースから受け取った関連情報のうち、日時を指定する情報に基づいて音データを提供するステップと、音データ提供手段によって受信側端末に音データを合成するステップで作成した音データを指定日時に提供するステップとを実行させ、受信側端末に、音データ取得手段によって交換装置から音データを受け取るステップと、音データ出力手段によって音データを受け取るステップで受け取った音データを出力するステップとを実行させることを特徴とするプログラムである。
【００２３】
請求項１７記載の発明は、請求項１５または１６記載のプログラムにおいて、交換装置に、受取許可判定手段によって受信側端末に音データの受取りを許可するか否かを問い合わさせ、受信側端末し、受取許可情報送信手段によって音データの受取りを許可するか否かの情報を交換装置に送信させ、交換装置に、受信側端末からの許可するか否かの情報に基づいて、音データを提供するかどうかを判定するステップをさらに実行させる。
【００２４】
請求項１８記載の発明は、請求項１５から１７のいずれか１項に記載のプログラムにおいて、交換装置および／または受信側端末に、着信拒否判定手段によって受信側端末で予め設定されている音データの受取りを拒否する相手先端末の識別情報に基づいて、音データを提供するべきでないか否かを判定するステップをさらに実行させる。
【００２５】
請求項１９記載の発明は、請求項１５から１８のいずれか１項に記載のプログラムにおいて、交換装置に、課金手段によって受信側端末に提供した音データについてのデータ量や通信回線への接続時間等に基づいて、送信側端末に対して課金する料金の算定をし、課金処理を行なうステップをさらに実行させる。
【発明の効果】
【００２６】
本発明の音データ提供システム、その方法、交換装置およびプログラムによれば、送信側の端末が受信側の端末に提供する音データを作成する際の自由度を高めることができる。
【発明を実施するための最良の形態】
【００２７】
以下、本発明の実施の形態について、図面を参照して説明する。なお、用語の意味の解釈に疑義をもたらさぬように、ここでは、音データとは、発声した音の他に、ＢＧＭ、風の音、波の音等の自然音、情報処理装置により生成されたデジタルサウンド等のすべての音をさすものと定義する。
【００２８】
図１に示すように、本実施形態における音データ提供システムは、送信側端末１０と、受信側端末２０と、ユーザインタフェース部３０と、交換装置４０とから構成されている。
【００２９】
図２を参照すると、送信側端末１０は、作成・生成された音データに関する各種の情報をユーザインタフェース部４０に送る装置であり、例えば、パーソナルコンピュータ、固定電話機、携帯電話機、ＰＨＳ（簡易型携帯電話）および携帯情報端末を含み、その通信手段は、有線または無線のいずれであってもよく、例えば、無線ＬＡＮ通信、Bluetoothおよび赤外線通信等を含む。送信側端末１０は、音データ入力部１１と、ユーザ認証情報送信部１２と、各種情報送信部１３と、提供先情報送信部１４と、指定日時情報送信部１５を備えている。
【００３０】
ここで、音データ入力部１１は、音データの入力を行なう機能を有しており、例えば、電話機の送話口、パーソナルコンピュータにおけるデジタルサウンドデータ入力装置等で実現されてもよい。
【００３１】
ユーザ認証情報送信部１２は、ユーザを一意に識別するための情報をユーザインタフェース部３０に対して送信する機能を有している。ユーザ認証情報とは、例えば、ユーザＩＤ、パスワード等である。
【００３２】
各種情報送信部１３は、入力された音データについての種々の情報をユーザインタフェース部３０に対して送信する機能を有している。種々の情報とは、例えば、音質、音の高さ、音の大きさ等を特定する情報である。
【００３３】
提供先情報送信部１４は、入力された音データを提供する相手先を特定する情報をユーザインタフェース部３０に対して送信する機能を有している。相手先を特定する情報とは、例えば、電話番号等であるが、ＵＲＬ（Uniform Resource Locators）等の識別情報であってもよい。
【００３４】
指定日時情報送信部１５は、入力された音データを受信側端末２０に届ける日時を指定するための情報をユーザインタフェース部３０に対して送信する機能を有している。
【００３５】
図２を参照すると、受信側端末２０は、交換装置４０から音データを受け取る装置であり、例えば、固定電話機、携帯電話機、ＰＨＳ（簡易型携帯電話）を含む。電話番号情報により、一意に識別可能な装置であることが好ましいが、識別情報として電話番号情報以外のものが用いられる装置であってもよい。受信側端末２０は、受取許可情報送信部２１と、音データ取得部２２と、音データ出力部２３を備えている。
【００３６】
ここで、受取許可情報送信部２１は、音データの受取りを許可するか否かの情報を交換装置４０に対して送信する機能を有している。音データを送信してきた相手によって、その音データを受け取るか否かを区別することができ、特に、迷惑メッセージを回避するために用いられることができる。
【００３７】
音データ取得部２２は、交換装置４０から音データを受け取る機能を有している。
【００３８】
音データ出力部２３は、交換装置４０から受け取った音データを実際に再生する機能を有して有しており、例えば、電話機の送話口、パーソナルコンピュータにおけるスピーカ等の出力装置等で実現されてもよい。
【００３９】
図３を参照すると、ユーザインタフェース部３０は、ユーザが送信側端末１０を用いて提供する音データに関する各種の情報を受付け、交換装置４０にその音データに関する各種の情報を送る機能を有している。例えば、インターネット等のネットワークを介して接続される情報処理装置との関係では、Ｗｅｂサーバにより実現されてもよく、また、モバイルデータ網を介して接続される移動体端末との関係では、ＷＡＰ（Wireless Application Protocol）サーバにより実現されてもよく、また、モバイル網を介して接続される電話機との関係では、ＩＶＲ（Interactive Voice Response:音声応答システム）により実現されてもよい。ユーザインタフェース部３０は、ユーザ認証部３１と、各種情報取得部３２と、提供先情報取得部３３と、指定日時情報取得部３４と、関連情報生成部３５と、関連情報送信部３６を備えている。
【００４０】
ここで、ユーザ認証部３１は、送信側端末１０から送信されたユーザ認証情報に基づいてユーザが正規のユーザであるか否かの認証を行なう機能を有している。
【００４１】
各種情報取得部３２は、送信側端末１０から送信された各種情報を取得する機能を有している。
【００４２】
提供先情報取得部３３は、送信側端末１０から送信された提供先情報を取得する機能を有している。
【００４３】
指定日時情報取得部３４は、送信側端末１０から送信された指定日時情報を取得する機能を有している。
【００４４】
関連情報生成部３５は、各種情報、提供先情報および指定日時情報に基づいて、交換装置４０で扱うことが可能なデータ形式である関連情報を生成する機能を有している。通常、交換装置４０が扱えるデータ形式で送信側端末１０からデータが送られることは少ないため、ユーザインタフェース部３０でデータの形式変更を行なう処理が必要となるからである。
【００４５】
関連情報送信部３６は、生成された関連情報を交換装置４０に対して送信する機能を有している。
【００４６】
図４を参照すると、交換装置４０は、ユーザインタフェース部３０から音データに関する各種の情報を受け取り、受信側端末２０に音データを提供する情報処理装置である。交換装置４０は、関連情報取得部４１と、音データ合成部４２と、提供先特定部４３と、日時指定部４４と、受取許可判定部４５と、音データ提供部４６と、着信拒否判定部４７と、課金部４８を備えている。
【００４７】
ここで、関連情報取得部４１は、ユーザインタフェース部３０から関連情報を受け取る機能を有している。
【００４８】
音データ合成部４２は、関連情報のうち、音質・高低・大小等の音データに関する各情報に基づいて音データを合成する機能を有している。
【００４９】
提供先特定部４３は、関連情報のうち、提供先情報に基づいて音データを提供する相手端末を特定する機能を有している。
【００５０】
日時指定部４４は、関連情報のうち、指定日時情報に基づいて音データを提供する日時を指定する機能を有している。
【００５１】
受取許可判定部４５は、受信側端末２０に音データの受取りを許可するか否かを問い合わせ、受信側端末２０からの許可するか否かの情報に基づいて、音データを提供するかどうかを判定する機能を有している。
【００５２】
音データ提供部４６は、受信側端末２０に音データ合成部４２が作成した音データを提供する機能を有している。
【００５３】
着信拒否判定部４７は、受信側端末２０で予め設定されている音データの受取りを拒否する相手先端末の識別情報に基づいて、音データを提供するべきでないか否かを判定する機能を有している。
【００５４】
課金部４８は、受信側端末２０に提供した音データについてのデータ量や通信回線への接続時間等に基づいて、送信側端末１０のユーザに対して課金する料金の算定をし、銀行からの引落しやクレジット決済等を利用して課金処理を行なう機能を有している。
【００５５】
なお、交換装置４０は、従来の留守番電話サービスにおいて用いられている、送信側端末１０が受信側端末２０に対して発信すると、送信側端末１０において入力された着番号情報の他、送信側端末１０の発番号情報等が含まれている回線交換呼制御信号を受け取り、送信側端末１０が発呼した場合、受信側端末２０へ呼接続処理を行ない、受信側端末２０が通話可能であれば、着信動作に移行して音声による通話を行なわせ、発信先である受信側端末２０が留守番電話サービス実施中でかつ接続不可能な状態であれば、音声留守番電話サービスを起動し、送信側端末１０においては伝言メッセージの録音処理のメッセージをウンスされる。これを聴いた送信側端末１０のユーザすなわち発信者は、その送信側端末１０を操作することにより、受信側端末２０宛のメッセージを作成する。伝言メッセージの録音処理を行ない、その後、通信回線を切断する。そして、受信側端末２０からの問い合わせに応じて伝言メッセージの再生を行なう機能を有している装置であってもよい。
【００５６】
ここで、送信側端末１０として固定電話機が用いられ、受信側端末２０として移動体通信端末の一例である携帯電話機が用いられる場合には、送信側端末１０と交換装置３０は、移動体電話網で接続され、また、受信側端末２０と交換装置３０は、固定電話網で接続されたシステムとして構成されてもよく、その場合には、固定電話網の構成例として、固定電話機は、加入者回線を介して、加入者線交換機に接続され、複数の加入者交換機は、中継伝送線を介して、中継交換機接続され、複数の中継交換機は、中継伝送路を介して、固定通信事業者と移動体通信事業者を仲介する関門交換機に接続されていてもよい。さらに、移動体電話網の構成例として、携帯電話機等の電波は、各ゾーン毎に、各無線基地局に収容され、複数の基地局は、中継伝送線を介して、交換機に接続され、複数の交換機は、中継伝送路を介して、関門交換機に接続され、位置メモリが、中継伝送路を介して交換機に接続されており、携帯電話機等との通信に伴い、いかなるゾーンに存在しているかの位置情報が自動的に登録されていてもよい。
【００５７】
以上のように構成された本実施形態における音データ提供システムの動作の詳細について、図５〜図７に基づいて説明する。なお、図５は、送信側端末１０からユーザインタフェース部３０への音データ等の送信処理のフローチャートであり、図６は、ユーザインタフェース部３０から交換装置４０への関連情報等の送信処理のフローチャートであり、図７は、交換装置４０から受信側端末２０への音データの提供処理のフローチャートである。以下、フローチャートの各ステップについて「Ｓ」と略記する。
【００５８】
最初に、送信側端末１０からユーザインタフェース部３０への音データ等の送信処理について、図５を参照して説明する。
【００５９】
まず、送信側端末１０の音データ入力部１１は、音データの入力を行なう（Ｓ５０１）。例えば、ユーザが電話機の受話機から発声したり、パーソナルコンピュータにおいてデジタルサウンドデータを所定の入力装置に入力する。なお、送信側端末１０を携帯電話機等とし、音データの作成を別個のパーソナルコンピュータ等に行なわせることであれば、高機能の処理を実現することができ、さらに音データの作成の自由度を高めることができる。
【００６０】
ここで、音データの一例を挙げると、電話端末の送話口から直接登録するものや、電話端末もしくはパーソナルコンピュータ等から、伝えたいメッセージテキストと合成音声の声質、高低等を指定して、ユーザの好みの声色で所望のメッセージを合成作成したものや、ユーザインタフェース部３０もしくは交換装置４０側にて予め用意しておいた背景音である音楽、の流れる音等あるいは効果音である笑い声等や、電話端末もしくはパーソナルコンピュータ等で予め作成したＭＩＤＩ等の様々なフォーマットの音データ等があり、さらにこれらの音データは、自由に組み合わせることが可能であり、これにより自由度の非常に高い音データの作成ないしは提供が可能となる。
【００６１】
次に、送信側端末１０のユーザ認証情報送信部１２は、ユーザを一意に識別するための情報であるユーザＩＤおよびパスワードをユーザインタフェース部３０に対して送信する（Ｓ５０２）。そして、ユーザインタフェース部３０のユーザ認証部３１は、送信側端末１０から送信されたユーザ認証情報を受け取り、そのユーザ認証情報に基づいて、予めユーザ情報が登録されている所定のデータベースを参照して、ユーザが正規のユーザであるか否かの認証を行なう（Ｓ５０３）。
【００６２】
また、ユーザが正規のユーザである場合には、送信側端末１０の各種情報送信部１３は、音データ入力部１１に入力された音データについての種々の情報をユーザインタフェース部３０に対して送信する（Ｓ５０４）。なお、入力された音データそのものをデータとして送信することであってもよいが、音データに関しては、種々の形式、パラメータ等が存在するため、その点の相違を吸収するために音データについての例えば、音質、音の高さ、音の大きさ等の情報を送信する。そして、ユーザインタフェース部３０の各種情報取得部３２は、送信側端末１０から送信された各種情報を取得する（Ｓ５０５）。
【００６３】
また、送信側端末１０の提供先情報送信部１４は、入力された音データを提供する相手先を特定する情報である、電話番号情報等を受け付け、ユーザインタフェース部３０に対して送信する（Ｓ５０６）。そして、ユーザインタフェース部３０の提供先情報取得部３３は、送信側端末１０から送信された提供先情報を取得する（Ｓ５０７）。
【００６４】
また、送信側端末１０の指定日時情報送信部１５は、入力された音データを受信側端末２０に届ける日時を指定するための情報を受け付け、ユーザインタフェース部３０に対して送信する（Ｓ５０８）。そして、ユーザインタフェース部３０の指定日時情報取得部３４は、送信側端末１０から送信された指定日時情報を取得する（Ｓ５０９）。
【００６５】
次に、ユーザインタフェース部３０から交換装置４０への関連情報等の送信処理について、図６を参照して説明する。
【００６６】
まず、ユーザインタフェース部３０の関連情報生成部３５は、送信側端末１０から取得した各種情報、提供先情報および指定日時情報に基づいて、交換装置４０で扱うことが可能なデータ形式である関連情報を生成する（Ｓ６０１）。その際、送信側端末１０から取得した各種情報、提供先情報および指定日時情報を所定のデータベースの各テーブルに格納し、それらのデータを所定の変換ルールに基づいて、交換装置４０が扱えるデータ形式に変更することであってもよい。
【００６７】
次に、ユーザインタフェース部３０の関連情報送信部３６は、生成された関連情報を交換装置４０に対して送信する（Ｓ６０２）。そして、交換装置４０の関連情報取得部４１は、ユーザインタフェース部３０から関連情報を受け取る（Ｓ６０３）。
【００６８】
なお、ユーザインタフェース部３０と、交換装置４０で扱うデータに差異がなく、いずれかが両者の機能を併せて有する場合には、必ずしも、別個の装置である構成とすることは必要でなく、いずれか単独の装置によって構成されていてもよい。
【００６９】
次に、交換装置４０から受信側端末２０への音データの提供処理について、図７を参照して説明する。
【００７０】
まず、交換装置４０の関連情報生成部３５は、音データ合成部４２は、関連情報のうち、音質・高低・大小等の音データに関する各情報に基づいて音データを合成する（Ｓ７０１）。その際、ユーザインタフェース部３０から取得した関連情報を所定のデータベースのテーブルに格納し、そのデータを所定の変換ルールに基づいて、音データを合成することであってもよい。
【００７１】
次に、交換装置４０の提供先特定部４３は、関連情報のうち、提供先情報に基づいて音データを提供する相手端末である受信側端末２０を特定する（Ｓ７０２）。従来は、受信側端末２０として一の端末のみを指定することができるのみであったが、複数の端末を指定することができ、一斉配信等に利用することができる。なお、受信側端末２０として、送信側端末１０自らを指定することもできる。これにより、スケジュール管理等の用途に利用することができる。
【００７２】
交換装置４０の日時指定部４４は、関連情報のうち、指定日時情報に基づいて音データを提供する日時を指定する（Ｓ７０３）。なお、指定時間に、受信側端末２０が携帯電話機等で圏外である等の着信自体ができなかった場合等には、所定のタイミングで再発信を行なう等を設定することができてもよい。
【００７３】
そして、交換装置４０の受取許可判定部４５は、上記のステップ７０３で指定した指定日時になったときに、受信側端末２０に音データの受取りを許可するか否かを問い合わせる（Ｓ７０４）。
【００７４】
すると、受信側端末２０の受取許可情報送信部２１は、音データの受取りを許可するか否かの情報を交換装置４０に対して送信する（Ｓ７０５）。例えば、面識の無い第三者からであったり、ダイレクトメール類似のメッセージであったりする場合を想定している。
【００７５】
そして、交換装置４０の受取許可判定部４５は、受信側端末２０からの許可するか否かの情報に基づいて、音データを提供するかどうかを判定する（Ｓ７０６）。
【００７６】
交換装置４０の音データ提供部４６は、音データを提供する場合には、受信側端末２０に音データ合成部４２が作成した音データを提供する（Ｓ７０７）。
【００７７】
受信側端末２０の音データ取得部２２は、交換装置４０から音データを受け取り（Ｓ７０８）、受信側端末２０の音データ出力部２３は、受け取った音データを、例えば、電話機の受話機、パーソナルコンピュータにおけるスピーカ等から再生出力する（Ｓ７０９）。
【００７８】
なお、上記のステップ７０７で音データを提供する前に、交換装置４０の着信拒否判定部４７は、受信側端末２０で予め設定されている音データの受取りを拒否する相手先端末の識別情報に基づいて、音データを提供するべきでないか否かを判定することであってもよい。例えば、交換装置４０の着信拒否判定部４７に、受信側端末宛てに迷惑メッセージを発するユーザの電話番号からのメッセージを受け付けないよう設定することができる機構を設けることであってもよい。ここで、交換装置４０からのメッセージお知らせの回線発信を、メッセージ登録を行なったユーザの電話番号で行ない、電話機の着信拒否機能を用いて、受信側端末でその発信者番号からのメッセージ受け取りを拒否することであってもよい。この際、キャリアで本サービスを行なっている場合には、従来の技術で述べたように。特定のサービス提供主体が本サービス類似のサービスを提供している場合に比べ、電話番号を付与するときに厳格な本人認証がなされているため、着信拒否サービスを比較的容易に実現することができる。すなわち、特定のサービス提供主体が本サービス類似のサービスを提供している場合だと、ユーザ登録が極めて簡易に行なうことができるので着信拒否の実効を図ることが困難だからである。
【００７９】
また、交換装置４０の課金部４８によって、受信側端末２０に提供した音データについてのデータ量や通信回線への接続時間等に基づいて、送信側端末１０のユーザに対して課金する料金の算定をし、銀行からの引落しやクレジット決済等を利用して課金を行なってもよい。この際、キャリアで本サービスを行なっている場合には、従来の技術で述べたように。特定のサービス提供主体が本サービス類似のサービスを提供している場合に比べ、例えば、通常の電話料金の請求とともに本サービスの利用料金の請求がなされるため、二重の請求手続きが発生しなく、簡便な処理により課金を実行することができる。また、課金については、受信側端末２０が音データを受け取ったときに送信側端末１０のユーザに対して課金するのが適当であるが、コレクトコールのように、受信側端末２０のユーザが自分への課金を承諾することによって、受信側端末２０のユーザに対して課金するというオプションサービスがなされてもよい。
【００８０】
本実施の形態における、本システムは、例えば、受信側端末２０のユーザの誕生日当日の午前０時にメッセージを伝えたいが、送信側端末１０のユーザはその時間に用事があって電話をかけることが困難であると予想されるときに、指定日時として誕生日当日の午前０時を指定し、背景にハッピーバースディの曲を選択し、送話口から自分のメッセージを口頭で録音し、さらに曲の終わりに効果音として拍手音を挿入することにより、メッセージ性の高い音データを提供することができる。
【００８１】
なお、上述する実施の形態は、本発明の好適な実施の形態であり、本発明の要旨を逸脱しない範囲内において種々変更実施が可能である。例えば、上記の実施の形態における送信側端末１０と、受信側端末２０と、ユーザインタフェース部３０と、交換装置４０の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【００８２】
上述する各実施の形態は、送信側端末１０と、ユーザインタフェース部３０と、交換装置４０等が別個の装置として接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００８３】
【図１】本発明の実施形態におけるシステムの構成を示す図である。
【図２】送信側端末および受信側端末の機能ブロックを示す図である。
【図３】ユーザインタフェース部の機能ブロックを示す図である。
【図４】交換装置の機能ブロックを示す図である。
【図５】送信側端末からユーザインタフェース部への音データ等の送信処理の動作を示すフローチャートである。
【図６】ユーザインタフェース部から交換装置への関連情報等の送信処理の動作を示すフローチャートである。
【図７】交換装置から受信側端末への音データの提供処理の動作を示すフローチャートである。
【符号の説明】
【００８４】
１０    送信側端末
２０    受信側端末
３０    ユーザインタフェース部
４０    交換装置
【図１】
2006166013.tif 000003
【図２】
2006166013.tif 000004
【図３】
2006166013.tif 000005
【図４】
2006166013.tif 000006
【図５】
2006166013.tif 000007
【図６】
2006166013.tif 000008
【図７】
2006166013.tif 000009